(57)【特許請求の範囲】
【請求項１】
撮影機構を備えたユニット本体に、予め未露光の写真フイルムを装填したレンズ付きフイルムユニットと、このレンズ付きフイルムユニットを水密に収納する樹脂製の防水ケースとからなる防水型レンズ付きフイルムユニットにおいて、
フイルム巻き上げ時に回動操作される巻き上げノブを前記防水ケースの上面に貫通して形成された開口を通して防水ケースの外部からレンズ付きフイルムユニットに連結するとともに、この防水ケースには前記開口の縁に沿ってエラストマーが２色成形により一体に設けられていることを特徴とする防水型レンズ付きフイルムユニット。
【請求項２】
撮影機構を備えたユニット本体に、予め未露光の写真フイルムを装填したレンズ付きフイルムユニットと、このレンズ付きフイルムユニットを水密に収納する樹脂製の防水ケースとからなる防水型レンズ付きフイルムユニットにおいて、
前記防水ケースは、不透明な硬質プラスチックからなる不透明層と、透明な硬質プラスチックからなる透明層と、柔軟なエラストマーからなるエラストマー層の３色成形により構成されていることを特徴とする防水型レンズ付きフイルムユニット。
【請求項３】
前記防水ケースの前面には、前記エラストマーからなり、押圧操作によって防水ケースの内部に入り込むように弾性変形してレンズ付きフイルムユニットのシャッタを作動させるシャッタボタンを一体に設けたことを特徴とする請求項１又は２記載の防水型レンズ付きフイルムユニット。
【請求項４】
前記シャッタボタンは、防水ケースの右手グリップ部の表面に設けられていることを特徴とする請求項３記載の防水型レンズ付きフイルムユニット。
【発明の詳細な説明】
【０００１】
【発明の属する技術分野】
本発明は、レンズ付きフイルムユニットを防水ケースに収納した防水型レンズ付きフイルムユニットに関するものである。
【０００２】
【従来の技術】
予めフイルムが装填された状態で販売されているレンズ付きフイルムユニットは、撮影後はフイルムを取り出すことなく、そのままの状態で現像取扱店に出せばよいという簡便さと安価なことから、一般に広く利用されている。このようなレンズ付きフイルムユニットを水中でも利用できるようにする目的で、水密構造にした防水ケースにレンズ付きフイルムユニットを収納し、防水ケース外から撮影操作をできるようにした防水型レンズ付きフイルムユニット「写ルンです  防水（商品名）」等が本出願人から市販されている。
【０００３】
【発明が解決しようとする課題】
しかしながら、上記防水ケースでは、シャッタレバーと巻き上げノブとを、各回転軸にＯリングを介してケース本体に組み込んでいるため、部品点数が多く、シャッタボタンと巻き上げノブをケース本体に組み込む手間がかかるためコスト高であった。また、シャッタレバーは通常のレンズ付きフイルムユニットのシャッタボタンのように、シャッタレリーズ時に押圧操作するのではなく、レバーの回動操作であるので、従来のレンズ付きフイルムユニットのレリーズ操作と比べて違和感があるという問題点もあった。
【０００４】
本発明は上記従来技術の問題点を考慮してなされたもので、低コストで、巻き上げノブやシャッタボタンの操作性に優れる防水型レンズ付きフイルムユニットを提供することを目的とする。
【０００５】
【課題を解決するための手段】
上記目的を達成するために、本発明では、撮影機構を備えたユニット本体に、予め未露光の写真フイルムを装填したレンズ付きフイルムユニットと、このレンズ付きフイルムユニットを水密に収納する樹脂製の防水ケースとからなる防水型レンズ付きフイルムユニットにおいて、フイルム巻き上げ時に回動操作される巻き上げノブを前記防水ケースの上面に貫通して形成された開口を通して防水ケースの外部からレンズ付きフイルムユニットに連結するとともに、この防水ケースに前記開口の縁に沿ってエラストマーを２色成形により一体に設けたものである。
【０００６】
請求項２においては、撮影機構を備えたユニット本体に、予め未露光の写真フイルムを装填したレンズ付きフイルムユニットと、このレンズ付きフイルムユニットを水密に収納する樹脂製の防水ケースとからなる防水型レンズ付きフイルムユニットにおいて、前記防水ケースを、不透明な硬質プラスチックからなる不透明層と、透明な硬質プラスチックからなる透明層と、柔軟なエラストマーからなるエラストマー層の３色成形により構成したものである。
【０００７】
請求項３においては、前記防水ケースの前面に、前記エラストマーからなり、押圧操作によって防水ケースの内部に入り込むように弾性変形してレンズ付きフイルムユニットのシャッタを作動させるシャッタボタンを一体に設けたものである。請求項４においては、前記シャッタボタンを、防水ケースの右手グリップ部の表面に設けたものである。
【０００８】
【発明の実施の形態】
以下、本発明の実施例を図面を参照して説明する。図１及び図２において、防水型レンズ付きフイルムユニット１は、レンズ付きフイルムユニット２と、これを水密構造で収納する防水ケース２１とから構成されている。レンズ付きフイルムユニット２は、本体基部４とこれに取り付けられる撮影機構５やストロボ装置６、及び本体基部４を前後から各々覆う前カバー７、後カバー８とからなるユニット本体３と、本体基部４に収納される未露光の写真フイルムカートリッジ９とから構成される。
【０００９】
前カバー７の中央には撮影レンズ１１が露出し、また上方にはファインダ１２が設けられている。ユニット本体３の前面の左側には、写真フイルムカートリッジ９を収納するカートリッジ収納室１３の外周に倣って前方に突出したグリップ部３ａが形成されている。前カバー７の右側にはストロボ装置６のストロボ発光部１４と、ストロボ回路に充電を開始させるストロボ充電開始ボタン１５とが設けられている。また前カバー７の前面左側には、シャッタボタン１６が設けられている。更に、前カバー７の上面には、撮影枚数表示窓１７が設けられている。
【００１０】
防水ケース２１は、不透明な硬質プラスチックからなる不透明層２２と、透明な硬質プラスチックからなる透明層２３と、柔軟なエラストマーからなるエラストマー層２４の３色成形により構成される。不透明層２２、及び透明層２３は、硬質プラスチックで形成され、例えば、ポリエチレン、ポリスチレン、ボリエチレンテレフタレート等が挙げられる。エラストマー層２４を構成するエラストマーは、ゴム状弾性を有する高分子物質であり、例えば、ゴム類、熱可塑性エラストマー、弾性繊維、弾性発泡体等が挙げられる。これらは、インサート式、回転式、或いは可動側スライド式により３色成形される。
【００１１】
図３に示すように、防水ケース２１の撮影レンズ１１に対応する部分は、不透明層２２と、その外側に形成された透明層２３とからなる。防水ケース２１の大部分を成す不透明層２２は、この撮影レンズ１１の光軸の周縁だけ形成されず、その外側に透明層２３が形成される。
【００１２】
また、防水ケース２１のファインダ１２に対応する部分、及び撮影枚数表示窓１７に対応する部分も、上述した撮影レンズ１１に対応する部分と同様に、各々の対応する部分だけ不透明層２２が形成されず、その外側に透明層２３が形成される。
【００１３】
図４に示すように、防水ケース２１のシャッタボタン１６に対応する部分は、不透明層２２と、その外側に形成されたエラストマー層２４とからなる。防水ケース２１の大部分を成す不透明層２２は、このシャッタボタン１６に対応する部分だけ形成されず、その外側にエラストマー層２４が形成される。これにより、柔軟なエラストマー層２４を押圧することで、シャッタボタン１６を水密な状態で外部から操作することが可能になる。
【００１４】
また、防水ケース２１のストロボ充電開始ボタン１５に対応する部分も、上述したシャッタボタン１６に対応する部分と同様に、各々の対応する部分だけ不透明層２２が形成されず、その外側にエラストマー層２４が形成される。これにより、柔軟なエラストマー層２４を押圧することで、ストロボ充電開始ボタン１５を水密な状態で外部から操作し、ストロボ装置１４の充電を行うことが可能になる。
【００１５】
図１に示すように、防水ケース２１の右側のグリップ部３ａに対応する、湾曲部分には、不透明層２２の上にエラストマー層２４が形成されている。この湾曲部分を不透明層２２とエラストマー層２４の２層にすることにより、撮影者がこの防水型レンズ付きフイルムユニットを保持する際の、保持部分の滑り止めの役割を果たす。
【００１６】
図１に示すように、防水ケース２１の右側上部には、レンズ付きフイルムユニット２に収納されている写真フイルム９ａをカートリッジ９ｂ内に巻き上げるための巻き上げノブ２６が軸着される。この巻き上げノブ２６の下面には、係合軸２６ａが一体に形成される。係合軸２６ａは、防水ケース２１の上部に設けられた貫入穴２７から防水ケース２１内に入り、ユニット本体３の本体ノブ３１に係合する。この本体ノブ３１は、写真フイルムカートリッジ９のスプール９ｃの端部に係合する。これにより、巻き上げノブ２６を回動させるとスプール９ｃも一体に回転し、写真フイルム９ａがカートリッジ９ｂ内に巻き上げられる。
【００１７】
図５に示すように、巻き上げノブ２６の係合軸２６ａが貫入する貫入穴２７の内面には、不透明層２２の上にエラストマー層２４が形成される。このエラストマー層２４は係合軸２６ａの外周と密着し、巻き上げノブ２６の軸着部分を水密に保持するシールの役割を果たす。
【００１８】
このような構成の防水型レンズ付きフイルムユニットの作用について説明する。本発明の防水型レンズ付きフイルムユニット１は、防水ケース２１を硬質のプラスチックからなる不透明層２２と透明層２３、及び柔軟なエラストマー層２４とからなる３色成形により形成したので、従来のように、シャッタボタンを操作するためのシャッタレバーを設けたりする必要がなく、柔軟なエラストマー層２４を押圧するだけで、シャッタボタン１６を操作することができるようになる。
【００１９】
このため、シャッタレバーを防水ケースに組み込む手間がなくなり、ローコストで防水型レンズ付きフイルムユニット１の製造が可能になる。また、シャッタレリーズ操作が従来のシャッタレバーのようなレバーの回動操作でなく、一般的な押圧操作であるので、シャッタ操作時の違和感がない。一方、ストロボ充電開始ボタン１５も、柔軟なエラストマー層２４を押圧するだけで操作できるようになる。
【００２０】
また、巻き上げノブ２６の係合軸２６ａが貫入する貫入穴２７の内面に、不透明層２２の上にエラストマー層２４を形成して、巻き上げノブ２６の軸着部分を水密に保持するので、従来のように、軸着部分にＯリングを組み込んだりする手間がなくなる。
【００２１】
なお、上述した実施形態においては、防水ケース２１を３色成形しているが、此れ以外にも、防水ケースを２色成形により形成し、シャッタボタンを操作する開口部分に、エラストマーを貼り付けたりしてもよい。
【００２２】
また、上述した実施形態においては、シャッタボタンをグリップ部の脇に設けているが、これ以外にも、例えば図６に示すように、シャッタボタン５１を湾曲したグリップ部５２上に形成してもよい。このように、シャッタボタン５１をグリップ部５２上に形成することにより、撮影者がレンズ付きフイルムユニット５０を保持する際に、指先でグリップ部５２を保持するようになるため、撮影レンズ５３に指が掛かったりして撮影ミスが起きることを防止できる。
【００２３】
【発明の効果】
以上に説明したように、本発明によれば、撮影機構を備えたユニット本体に、予め未露光の写真フイルムを装填したレンズ付きフイルムユニットと、このレンズ付きフイルムユニットを水密に収納する樹脂製の防水ケースとからなる防水型レンズ付きフイルムユニットにおいて、フイルム巻き上げ時に回動操作される巻き上げノブを前記防水ケースの上面に貫通して形成された開口を通して防水ケースの外部からレンズ付きフイルムユニットに連結するとともに、この防水ケースに前記開口の縁に沿ってエラストマーを２色成形により一体に設けたので、低コストで、巻き上げノブやシャッタボタンの操作性に優れる防水型レンズ付きフイルムユニットを提供することかできる。
【図面の簡単な説明】
【図１】防水型レンズ付きフイルムユニットの外観斜視図である。
【図２】防水型レンズ付きフイルムユニットを示す分解斜視図である。
【図３】撮影レンズ付近の断面図である。
【図４】シャッタボタン付近の断面図である。
【図５】巻き上げノブ付近の断面図である。
【図６】本発明の別な実施形態の防水型レンズ付きフイルムユニットを示す外観斜視図である。
【符号の説明】
２  レンズ付きフイルムユニット
１６  シャッタボタン
２１  防水ケース
２２  不透明層
２３  透明層
２４  エラストマー層
２６  巻き上げノブ
【図１】
0003724766.tif 000002
【図２】
0003724766.tif 000003
【図３】
0003724766.tif 000004
【図４】
0003724766.tif 000005
【図５】
0003724766.tif 000006
【図６】
0003724766.tif 000007